(57)【要約】【課題】製造や修理が容易な面金及び武道用面防具と、これらに用いる接続部材を提供する。【解決手段】面渕部材１は、ゴム製であり、また、面金の台の形状に対応する形状即ちＵ字状に形成されており、また、面金の縦金や横金が通る複数の面金穴２と、面金の台に添えられた藁束を囲む木綿布に取り付けるために使用される針と糸が通る針穴３と、面布団に取り付けるために使用される紐部材が通るとじ穴４が形成されており、また、面金穴２が形成され、面金の台の内縁に当接する領域は湾曲しており、また、とじ穴４が形成され、面金の台の外縁に当接する領域は折り曲げられ、折り曲げ線５が形成されている。【選択図】図１
2008142118.tif 000002
【特許請求の範囲】
【請求項１】
顔の輪郭に対応する形状に形成された台を有する、着用者の顔を保護する面金と、該面金に取り付けられると共に着用者の頭部を保護する面布団と、前記面金の下部に取り付けられると共に着用者の首部を保護する突き垂とを有する武道用面防具の前記面金と他の部材との接続に用いられる接続部材であって、
樹脂で構成されており、
前記台の形状に対応する形状に形成されており、
前記台の縁に当接する領域が曲げられた
ことを特徴とする接続部材。
【請求項２】
前記曲げられた領域が複数あり、一方の領域は折り曲げられ、他方の領域は湾曲された
ことを特徴とする請求項１に記載の接続部材。
【請求項３】
前記樹脂は、弾力性のある樹脂である
ことを特徴とする請求項１に記載の接続部材。
【請求項４】
前記樹脂は、折り曲げた状態を維持できる樹脂である
ことを特徴とする請求項１に記載の接続部材。
【請求項５】
着用者の頭部を保護する面布団と、着用者の首部を保護する突き垂とを有する武道用面防具の前記面布団と前記突き垂に取り付けられると共に、前記面布団との接続に使用される面渕部材と、前記突き垂との接続に使用される顎渕部材と、顔の輪郭に対応する形状に形成された台とを有する、着用者の顔を保護する面金であって、
前記面渕部材及び前記顎渕部材は、樹脂で構成されており、
前記台の形状に対応する形状に形成されており、
前記台の縁に当接する領域が曲げられた
ことを特徴とする面金。
【請求項６】
前記面渕部材が紐部材によって前記面布団に縫い付けられると共に、同紐部材が樹脂で構成された
ことを特徴とする請求項５に記載の面金。
【請求項７】
前記面渕部材、前記顎渕部材及び前記紐部材が弾力性のある樹脂で構成された
ことを特徴とする請求項６に記載の面金。
【請求項８】
前記面渕部材及び前記顎渕部材を構成する樹脂は、折り曲げた状態を維持できる樹脂である
ことを特徴とする請求項５に記載の面金。
【請求項９】
顔の輪郭に対応する形状に形成された台を有する、着用者の顔を保護する面金と、該面金に取り付けられると共に着用者の頭部を保護する面布団と、該面布団と前記面金とを接続する面渕部材と、前記面金の下部に取り付けられると共に着用者の首部を保護する突き垂と、該突き垂と前記面金とを接続する顎渕部材とを備える武道用面防具であって、
前記面渕部材及び前記顎渕部材は、樹脂で構成されており、
前記台の形状に対応する形状に形成されており、
前記台の縁に当接する領域が曲げられた
ことを特徴とする武道用面防具。
【請求項１０】
前記面渕部材が紐部材によって前記面布団に縫い付けられていると共に、同紐部材が樹脂で構成された
ことを特徴とする請求項９に記載の武道用面防具。
【請求項１１】
前記面渕部材、前記顎渕部材及び前記紐部材が弾力性のある樹脂で構成された
ことを特徴とする請求項１０に記載の武道用面防具。
【請求項１２】
前記面渕部材及び前記顎渕部材を構成する樹脂は、折り曲げた状態を維持できる樹脂である
ことを特徴とする請求項９に記載の武道用面防具。
【発明の詳細な説明】
【技術分野】
【０００１】
本発明は接続部材、面金及び武道用面防具に関する。詳しくは、剣道や銃剣道に用いられる面金及び武道用面防具と、これらに用いられる接続部材に係るものである。
【背景技術】
【０００２】
図３は、剣道用面防具を説明する概略図であり、図３（ａ）は外観を示し、図３（ｂ）は内側を示しているが、図３に示すように、一般に剣道用面防具１０１は、顔の輪郭に対応する形状に形成された台１０７を有して、着用時に顔の前方に位置し、着用者の顔を保護する金属製の面金１０２と、面金１０２の下部に取り付けられると共に着用者の首部を保護する突き垂１０３と、面金１０２に取り付けられると共に着用者の頭部を保護する面布団１０４と、喉部を保護する用心垂１０５と、剣道用面防具１０１の内側にあって着用者の顔周縁に当接する略リング形状の内輪１０６と、面金１０２の台１０７と面布団１０４とを接続する面渕部材１１０と、面金１０２の台１０７と突き垂１０３とを接続する顎渕部材１１１とを備える。
また、面金１０２は、略中央領域において上下方向に架設された縦金１０８と、縦金１０８と交差して左右方向に所定の間隔を隔てて架設された複数の横金１０９とで構成される。
また、面渕部材１１０は、紐部材１１２によって面布団１０４に縫い付けられている。
【０００３】
また、図４は、従来の面渕部材を説明する概略図（ａ）と従来の顎渕部材を説明する概略図（ｂ）であるが、面渕部材１１０には、面金１０２の縦金１０８や横金１０９が通る複数の面金穴１１３と、台１０７に添えられた藁束を囲む木綿布に取り付けるために使用される針と糸が通る針穴１１４と、面布団１０４に取り付けるために使用される紐部材が通るとじ穴１１５が形成されている。
また、顎渕部材１１１には、面金１０２の縦金１０８や横金１０９が通る複数の面金穴１１３と、台１０７に添えられた藁束を囲む木綿布に取り付けるために使用される針と糸が通る針穴１１４と、突き垂１０３に取り付けるために使用される紐部材が通るとじ穴１１５が形成されている。
【０００４】
例えば、特許文献１には、面布団または顎垂れ（突き垂）の内側には座金（台）を覆って顔面を当接させる当接部材を設けた剣道用面防具において、当接部材と面渕皮あるいは顎渕皮との間の少なくとも一部に防水シートを介在させた剣道用面防具が記載されている。
このような構成により、当接部材に染み込んだ汗が面渕皮あるいは顎渕皮にまで到達しにくくなり、面渕皮あるいは顎渕皮や顎部材等の強度低下を防ぐことができる。そして、竹刀等による打突の衝撃で面渕皮あるいは顎渕皮が破れたり顎部材がへたったりといった破損を防止できる。
【０００５】
【特許文献１】特開２００４−７３５６７号公報
【発明の開示】
【発明が解決しようとする課題】
【０００６】
しかしながら、従来の剣道用面防具を製造する場合、製造に多くの日数を費やし、また牛皮といった高価な材料を使用しているためコストの高騰を助長させていた。
即ち、図５は従来の剣道用面防具の製造工程を説明する図であるが、図５に示すように、面金の台座に被せる面渕部材や、面渕部材を面布団に縫いつける紐部材にはどれも動物の皮例えば牛皮を使用するので、牛皮を水に浸して柔らかくする必要があり、また、柔らかい間に穴をあけたり、折り目をつける角立（ライン出し）を行なったり、乾燥させたりという作業が必要なうえ、牛皮を保護するためにカシュウ（塗料）を塗る必要があり、またカシュウを乾燥させる作業も必要なため、製造に多くの日数を費やし、また牛皮といった高価な材料を使用しているためコストの高騰を助長させていた。
また、このように様々な作業を必要として製造に多くの日数を費やすため、破損した面渕部材等の修理にも多くの日数を費やしていた。
【０００７】
本発明は、以上の点に鑑みて創案されたものであり、製造や修理が容易な、面金及び武道用面防具と、これらに用いる接続部材を提供することを目的とする。
【課題を解決するための手段】
【０００８】
上記の目的を達成するために、本発明の接続部材は、顔の輪郭に対応する形状に形成された台を有する、着用者の顔を保護する面金と、該面金に取り付けられると共に着用者の頭部を保護する面布団と、前記面金の下部に取り付けられると共に着用者の首部を保護する突き垂とを有する武道用面防具の前記面金と他の部材との接続に用いられる接続部材であって、樹脂で構成されており、前記台の形状に対応する形状に形成されており、前記台の縁に当接する領域が曲げられたことを特徴とする。
【０００９】
ここで、樹脂で構成されているので、水に浸して柔らかくする工程、乾燥工程、塗料塗布工程といった牛皮の面渕皮や顎渕皮を使用する場合に必要な製造工程を省略できる。また、台の縁に当接する領域が曲げられているので、角立工程といった牛皮の面渕皮や顎渕皮を使用する場合に必要な製造工程を省略できる。
【００１０】
また、本発明の接続部材において、曲げられた領域が複数あり、一方の領域は折り曲げられ、他方の領域は湾曲されている場合、湾曲された領域を、面金の台に添える藁束に当てて、接続部材を取り付けやすくすることができる。
【００１１】
また、本発明の接続部材において、樹脂は、弾力性のある樹脂である場合、竹刀に与える衝撃や損傷を和らげ、竹刀の割れ、ささくれ等を抑制できる。
【００１２】
また、本発明の接続部材において、樹脂は、折り曲げた状態を維持できる樹脂である場合、面渕部材や顎渕部材の取り付け作業を妨げないよう、面渕部材及び顎渕部材の一部を折り曲げておくことができる。
【００１３】
上記の目的を達成するために、本発明の面金は、着用者の頭部を保護する面布団と、着用者の首部を保護する突き垂とを有する武道用面防具の前記面布団と前記突き垂に取り付けられると共に、前記面布団との接続に使用される面渕部材と、前記突き垂との接続に使用される顎渕部材と、顔の輪郭に対応する形状に形成された台とを有する、着用者の顔を保護する面金であって、前記面渕部材及び前記顎渕部材は、樹脂で構成されており、前記台の形状に対応する形状に形成されており、前記台の縁に当接する領域が曲げられたことを特徴とする。
【００１４】
ここで、面渕部材及び顎渕部材が樹脂で構成されているので、水に浸して柔らかくする工程、乾燥工程、塗料塗布工程といった牛皮の面渕皮や顎渕皮を使用する場合に必要な製造工程を省略できる。また、面渕部材及び顎渕部材は、台の縁に当接する領域が曲げられているので、角立工程といった牛皮の面渕皮や顎渕皮を使用する場合に必要な製造工程を省略できる。
【００１５】
また、本発明の面金において、面渕部材が紐部材によって面布団に縫い付けられると共に、紐部材が樹脂で構成された場合、牛皮紐を使用する場合に必要な製造工程を省略できる。
【００１６】
また、本発明の面金において、面渕部材、顎渕部材及び紐部材が弾力性のある樹脂で構成された場合、竹刀に与える衝撃や損傷を和らげ、竹刀の割れ、ささくれ等を抑制できる。
【００１７】
また、本発明の面金において、面渕部材及び顎渕部材を構成する樹脂は、折り曲げた状態を維持できる樹脂である場合、面渕部材や顎渕部材の取り付け作業を妨げないよう、面渕部材及び顎渕部材の一部を折り曲げておくことができる。
【００１８】
また、上記の目的を達成するために、本発明の武道用面防具は、顔の輪郭に対応する形状に形成された台を有する、着用者の顔を保護する面金と、該面金に取り付けられると共に着用者の頭部を保護する面布団と、該面布団と前記面金とを接続する面渕部材と、前記面金の下部に取り付けられると共に着用者の首部を保護する突き垂と、該突き垂と前記面金とを接続する顎渕部材とを備える武道用面防具であって、前記面渕部材及び前記顎渕部材は、樹脂で構成されており、前記台の形状に対応する形状に形成されており、前記台の縁に当接する領域が曲げられたことを特徴とする。
【００１９】
ここで、面渕部材及び顎渕部材が樹脂で構成されているので、水に浸して柔らかくする工程、乾燥工程、塗料塗布工程といった牛皮の面渕皮や顎渕皮を使用する場合に必要な製造工程を省略できる。また、面渕部材及び顎渕部材は、台の縁に当接する領域が曲げられているので、角立工程といった牛皮の面渕皮や顎渕皮を使用する場合に必要な製造工程を省略できる。
【００２０】
また、本発明の武道用面防具において、面渕部材が紐部材によって面布団に縫い付けられていると共に、紐部材が樹脂で構成された場合、牛皮紐を使用する場合に必要な製造工程を省略できる。
【００２１】
また、本発明の武道用面防具において、面渕部材、顎渕部材及び紐部材が弾力性のある樹脂で構成された場合、竹刀に与える衝撃や損傷を和らげ、竹刀の割れ、ささくれ等を抑制できる。
【００２２】
また、本発明の武道用面防具において、面渕部材及び顎渕部材を構成する樹脂が折り曲げ可能であると共に折り曲げた状態を維持できる樹脂である場合、面渕部材や顎渕部材の取り付け作業を妨げないよう、面渕部材及び顎渕部材の一部を折り曲げておくことができる。
【発明の効果】
【００２３】
本発明の接続部材によって、武道用面防具の製造や修理が容易であり、武道用面防具の新規生産や修理を短時間で完了させることができる。
本発明に係る面金によって、武道用面防具の製造や修理が容易であり、武道用面防具の新規生産や修理を短時間で完了させることができる。
本発明に係る武道用面防具は、製造や修理が容易であり、新規生産や修理を短時間で完了させることができる。
【発明を実施するための最良の形態】
【００２４】
以下、本発明の実施の形態について図面を参照しながら説明し、本発明の理解に供する。
図１は、本発明を適用した接続部材を説明する概略図であり、図１（ａ）は面渕部材を示し、図１（ｂ）は顎渕部材を示し、図１（ｃ）は図１（ｂ）のＡ−Ａ線に沿った断面を示している。図１（ａ）において、接続部材である面渕部材１は、ゴム製であり、また、面金の台の形状に対応する形状即ちＵ字状に形成されており、また、面金の縦金や横金が通る複数の面金穴２と、面金の台に添えられた藁束を囲む木綿布に取り付けるために使用される針と糸が通る針穴３と、面布団に取り付けるために使用される紐部材が通るとじ穴４が形成されており、また、面金穴２が形成され、面金の台の内縁に当接する領域は湾曲しており、また、とじ穴４が形成され、面金の台の外縁に当接する領域は折り曲げられ、折り曲げ線５が形成されている。
【００２５】
また、図１（ｂ）及び図１（ｃ）において、接続部材である顎渕部材１Ａは、ゴム製であり、また、面金の台の形状に対応するよう湾曲しており、また、面金の縦金や横金が通る複数の面金穴２と、面金の台に添えられた藁束を囲む木綿布に取り付けるために使用される針と糸が通る針穴３と、突き垂に取り付けるために使用される紐部材が通るとじ穴４が形成されており、また、面金穴２が形成され、面金の台の内縁に当接する領域は湾曲しており、また、とじ穴４が形成され、面金の台の縁に当接する領域は折り曲げられ、折り曲げ線５が形成されている。
また、面渕部材及び顎渕部材を構成するゴムは、折り曲げた状態を維持することができる特性を備えたゴムである。
【００２６】
また、本発明を適用した剣道用面防具は、図３に示すような構造を有しており、面渕部材や顎渕部材として本発明の接続部材が使用されている。
また、面渕部材は、紐部材によって面布団に縫い付けられていると共に、紐部材はゴムで構成されている。
【００２７】
次に、本発明を適用した剣道用面防具の製造方法について述べる。図２は、本発明を適用した剣道用面防具の製造工程を説明する図である。
先ず、面金の台に藁束を介添えした後、この藁束を囲むように木綿布を巻き付けて糸で縫う。
次に、本発明のゴム製の面渕部材１に形成された面金穴２に横金や縦金を通して、面金の台に巻き付けられた木綿布に、本発明のゴム製の面渕部材１の湾曲した領域を跨らせて、面渕部材１に形成された針穴３に糸と針を通して面渕部材１を木綿布と共に面金の台に固定し取り付ける（ステップＳ１）。
そして、面布団の面金に対応する縁から外側の一部表面までを覆うように、面渕部材１の折り曲げられてとじ穴４が形成された領域を面布団に被せ、この面渕部材１のとじ穴４にゴム製の紐部材を通して、面渕部材１を面布団に取り付ける（ステップＳ２）。
また、同様に、本発明のゴム製の顎渕部材１Ａに形成された面金穴２に横金や縦金を通して、面金の台に巻き付けられた木綿布に、本発明のゴム製の顎渕部材１Ａの湾曲した領域を跨らせて、顎渕部材１Ａに形成された針穴３に糸と針を通して顎渕部材１Ａを木綿布と共に面金の台に固定し取り付ける（ステップＳ１）。
そして、突き垂の端部を覆うように顎渕部材１Ａの折り曲げられてとじ穴４が形成された領域を突き垂に被せ、この顎渕部材１Ａのとじ穴４にゴム製の紐部材を通して、顎渕部材１Ａを突き垂に取り付ける（ステップＳ２）。
なお、本発明の面渕部材１や顎渕部材１Ａは、射出成型によって、面金の台の外縁に当る箇所が折り曲げられ、また、面金の縦金や横金を通す面金穴、針穴等が形成された状態で成型される。また、本発明の面渕部材１や顎渕部材１Ａを取り付ける場合には、面渕部材１及び顎渕部材１Ａを構成するゴムは、折り曲げた状態を維持することができるので、取り付け作業を妨げないよう面渕部材１及び顎渕部材１Ａの一部をめくって折り曲げておくことができる。
【００２８】
後は、予め用心垂を取り付けた内輪を用意し、面布団の内側に全周に亘って内輪を紐によって取り付ける。
なお、本発明の面渕部材１や顎渕部材１Ａを接着剤で面布団や突き垂に固着することも考えられるが、接着剤による固着は衝撃に弱く、竹刀による衝撃を受け続けると、時間が経つにつれて剥がれやすくなってしまい、またクラックが発生して強度の点で問題がある。
【００２９】
ここで、面渕部材１、顎渕部材１Ａ及び紐部材が樹脂で構成されていれば、必ずしも面渕部材１、顎渕部材１Ａ及び紐部材はゴムで構成されていなくてもよく、例えば、竹刀の打突によって破損しない程度の耐衝撃性と耐摩耗性を有する、ポリエチレン、ポリカーボネート等で構成されていてもよい。
また、面渕部材１や顎渕部材１Ａの表面は適宜着色されてもよく、その場合、樹脂との密着性や耐摩耗性が優れていることから、塗料としては、ポリウレタン樹脂塗料が好ましい。一例として、面布団を覆う面渕部材１の領域は黒色に着色されており、台を覆う面渕部材１の領域は赤色に着色される。
【００３０】
このように、本発明は、面渕部材及び顎渕部材が樹脂で構成されているので、水に浸して柔らかくする工程、乾燥工程、塗料塗布工程といった牛皮の面渕皮や顎渕皮を使用する場合に必要な製造工程を省略でき、また、台の縁に当接する領域が曲げられているので、角立工程といった牛皮の面渕皮や顎渕皮を使用する場合に必要な製造工程を省略でき、その結果、製造や修理が容易であり、新規生産や修理を短時間で完了させることができる。また、牛皮の面渕皮や顎渕皮を使用する場合よりも製造コストを抑えることができる。
また、樹脂製の面渕部材及び顎渕部材は、牛皮の面渕皮や顎渕皮に比べて耐久性が高く、修理時期を遅らせることができ、修理する場合も面渕部材及び顎渕部材を取り替えることなく、そのまま再利用することができ、修理時間の短縮化を実現できる。
なお、剣道の稽古は通常、ほぼ毎日行なわれ、稽古に支障をきたさないよう修理している間も他人の面防具を借りて稽古することもできるが、面防具は使用し続けると各使用者の頭や顔の形に適合していくため、他人の面防具ではやや違和感を覚えてしまって稽古に集中できないこともあり、短時間で修理が完了することで、普段使い慣れた面防具で早期に稽古を再開できることは有意義なことである。
【００３１】
また、面渕部材をゴム製の紐部材で取り付けているので、牛皮紐を使用する場合に必要な製造工程を省略でき、製造や修理が容易であり、新規生産や修理を短時間で完了させることができる。
【００３２】
また、面渕部材、顎渕部材及び紐部材がゴムで構成されているので、硬い牛皮の面渕皮や顎渕皮を使用する場合に比べて、ゴムの弾力性によって竹刀に与える衝撃や損傷を和らげ、竹刀の割れ、ささくれ発生等を抑制できる。
【００３３】
また、面渕部材及び顎渕部材を構成するゴムは、折り曲げた状態を維持することができるので、取り付け作業を妨げないよう面渕部材及び顎渕部材の一部を折り曲げておくことができる。
【図面の簡単な説明】
【００３４】
【図１】本発明を適用した接続部材を説明する概略図である。
【図２】本発明を適用した剣道用面防具の製造工程を説明する図である。
【図３】剣道用面防具を説明する概略図である。
【図４】従来の面渕部材を説明する概略図（ａ）と従来の顎渕部材を説明する概略図（ｂ）である。
【図５】従来の剣道用面防具の製造工程を説明する図である。
【符号の説明】
【００３５】
１    面渕部材
１Ａ  顎渕部材
２    面金穴
３    針穴
４    とじ穴
５    折り曲げ線
【図１】
2008142118.tif 000003
【図２】
2008142118.tif 000004
【図３】
2008142118.tif 000005
【図４】
2008142118.tif 000006
【図５】
2008142118.tif 000007